(57)【特許請求の範囲】
【請求項１】
発呼者と被呼者双方の通話音のいずれか一方が無音状態となったとき、所定時間以上その無音状態が継続したかを判別する無音状態継続判別手段と、
この無音状態継続判別手段が前記所定時間以上その無音状態が継続したと判別したときその通話音が無音であることを検出する無音状態検出手段と、
前記発呼者と被呼者の通話音をモニタ音として出力するモニタ手段と、
前記無音状態検出手段が無音状態を検出したとき前記モニタ手段の出力するモニタ音を遮断するモニタ音遮断手段
とを具備することを特徴とする通話音声モニタ装置。
【請求項２】
モニタ音遮断手段によるモニタ音の遮断を解除するモニタ音遮断解除手段を具備することを特徴とする請求項１記載の通話音声モニタ装置。
【請求項３】
発呼者と被呼者双方の通話音のそれぞれについて無音状態となったとき、所定時間以上その無音状態が継続したかを判別する無音状態継続判別手段と、
この無音状態継続判別手段が前記所定時間以上その無音状態が継続したと判別したときその通話音が無音であり、それ以外は無音でないと検出する無音状態有無検出手段と、
この無音状態有無検出手段の検出結果を双方の通話音について各別に表示する表示ランプ
とを具備することを特徴とする通話音声モニタ装置。
【発明の詳細な説明】
【０００１】
【発明の属する技術分野】
本発明は通話音声をモニタするための通話音声モニタ装置に係わり、特に通話音あるいは通話信号が無音あるいは無信号となる障害が発生した場合に効果のある通話音声モニタ装置に関する。
【０００２】
【従来の技術】
通話回線を新たに敷設したような場合や、すでに存在する回線であってもその利用者から回線の通話音の状態についての問い合わせがあったような場合には、通話が行われている状態で実際の音をモニタする検査が行われている。
【０００３】
図７は、従来提案された通話音声モニタ装置を使用した音声通話システムを表わしたものである。ここでは説明を簡単にするために固定電話１１と第１の携帯電話１２1が移動交換機センタ１３を介して通話を行う場合と、第２の携帯電話１２2と第３の携帯電話１２3とが移動交換機センタ１３を介して通話を行う場合を取り上げて説明を行う。
【０００４】
固定電話１１と第１の携帯電話１２1が通話を行う場合には、これらの間で図で実線で示す通話パス１５が形成される。すなわち、固定電話１１から第１の携帯電話１２1の方向に見ていくと、図示しない公衆電話網、移動交換機センタ１３、コーデック１６、第１の基地局１７1がこれらの順に存在して通話パス１５が形成され、これを用いて両者の間で通話が行われるようになっている。また、第２の携帯電話１２2と第３の携帯電話１２3が通話を行う場合には、これらの間で図で実線で示す通話パス２１が形成される。すなわち、第２の携帯電話１２2から第３の携帯電話１２3の方向に見ていくと、第２の基地局１７2、コーデック１６、移動交換機センタ１３、コーデック２２、第３の基地局１７3がこれらの順に存在して通話パス２１が形成され、これを用いて両者の間で通話が行われるようになっている。
【０００５】
ただし、第２の携帯電話１２2と第３の携帯電話１２3が通話を行う場合には２つのコーデック１６、２２の間では符号変換が行われない。これは、一般にスルーモードと呼ばれている。スルーモードの場合には、通話パス２１に送られる通話のためのデータの先頭に同期パターンが付加されている。
【０００６】
ところで、この図に示した音声通話システム２３は通話音声モニタ装置２５およびシステム試験を行うためのシステム試験コンソール２６を接続している。システム試験コンソール２６は、モニタを行うためのモニタアダプタ２７を接続しており、通話音２８を出力するようになっている。
【０００７】
このような音声通話システムで固定電話１１と第１の携帯電話１２1が通話を行う場合、音声信号は移動交換機センタ１３内でミューロー（μ−ｌａｗ）信号で伝達される。このμ−ｌａｗ信号は、小さな音を高解像度とし、大きな音は低解像度で量子化することで大きなダイナミックレンジとなるように量子化した信号である。固定電話１１が発呼側であるとする。このとき、固定電話１１から第１の携帯電話１２1の方向に向かう下り信号３１と、第１の携帯電話１２1から固定電話１１の方向に向かう上り信号３２とが、共にμ−ｌａｗ信号で通話音声モニタ装置２５に入力されるようになっている。
【０００８】
図８は通話音声モニタ装置の構成を具体的に表わしたものである。通話音声モニタ装置２５は、ＰＣＭ（Pulse Coded Modulation）ハイウェイ・インタフェース部４１と、その出力側に配置された第１および第２のトランスコーダ部４２1、４２2と、これらのトランスコーダ部４２1、４２2の出力側に配置された加算器４３から構成されている。下り信号３１および上り信号３２はＰＣＭハイウェイ・インタフェース部４１に入力され、このうちのμ−ｌａｗ信号としての上り信号３２はそのまま第１のトランスコーダ部４２1の入力端子Ｉ1および出力端子Ｏを通過して、加算器４３の第１の入力端子Ｉ1に入力される。また、μ−ｌａｗ信号としての下り信号３１はそのまま第２のトランスコーダ部４２2の入力端子Ｉ1および出力端子Ｏを通過して、加算器４３の第２の入力端子Ｉ2に入力される。
【０００９】
加算器４３は、これら２チャネル分のディジタル信号を加算して、加算後のμ−ｌａｗ信号４５を図７に示したシステム試験コンソール２６に送出する。このとき、μ−ｌａｗ信号４５は移動交換機センタ１３を中継することになる。システム試験コンソール２６はこれをモニタアダプタ２７に送って、Ｄ／Ａ変換させて、上りおよび下りの音声信号が加算されたアナログ信号を作成させる。モニタアダプタ２７には図示しないスピーカ等の音声出力装置が接続されており、通話音２８が出力されることになる。
【００１０】
次に、この従来の通話音声モニタ装置２５を使用して第２の携帯電話１２2と第３の携帯電話１２3とが通話を行う場合を説明する。ここでは、第２の携帯電話１２2が発呼側であるとする。携帯電話１２2、１２3の場合、通話パス２１を伝達して移動交換機センタ１３の内部を通過する音声信号は、ＶＳＥＬＰ（Vector Sum Excited Linear Predictive Coding）やＰＳＩ−ＣＥＬＰ（Pitch Synchronous Innovation Code-Excited Linear Prediction）等の高能率符号化信号となっている。したがって、移動交換機センタ１３から通話音声モニタ装置２５には、このような高能率符号化信号からなる上り信号５１と下り信号５２が供給されることになる。
【００１１】
図８に示した通話音声モニタ装置２５では、ＰＣＭハイウェイ・インタフェース部がこれらの信号を分離して上り信号５１を第１のトランスコーダ部４２1に供給し、下り信号５２を第２のトランスコーダ部４２2に供給する。
【００１２】
図９は第１のトランスコーダ部の回路構成を具体的に表わしたものである。第２のトランスコーダ部４２2も第１のトランスコーダ部４２1と同一の構成となっている。したがって、第２のトランスコーダ部４２2については、第１のトランスコーダ部４２1内の各部を表わす数字の添え字の“１”を“２”に適宜読み替えることにする。また、第２のトランスコーダ部４２2の入力端子Ｉ1には２つの上り信号３２、５１の代わりに２つの下り信号３１、５２が入力されることになる。
【００１３】
ところで第１のトランスコーダ部４２1は、上り信号５１を共に入力する同期パターン検出回路６１1、復号化回路６２1およびセレクタ６３1を備えている。同期パターン検出回路６１1は上り信号５１の同期パターンを検出し、同期パターンを検出したことを表わした同期パターン検出信号６４1をその検出出力端子ＣＯから、復号化回路６２1およびセレクタ６３1に送出する。復号化回路６２1はこの状態で上り信号５１としての高能率符号化信号をμ−ｌａｗ信号６５1に変換する。
【００１４】
セレクタ６３1は２入力のうちから１つを選択する回路であり、上り信号５１を一方の入力端子Ｘに供給すると共に、μ−ｌａｗ信号６５1を他方の入力端子Ｙに供給するようになっている。そして、同期パターン検出信号６４1がセレクタ６３1の選択端子Ｓに供給されていない状態では入力端子Ｘに入力される上り信号５１1を出力端子Ｏからそのまま第１の選択信号６６1として出力する。また、同期パターン検出信号６４1がセレクタ６３1に供給されている状態では、μ−ｌａｗ信号６５1を第１の選択信号６６1として出力することになる。
【００１５】
したがって、上り信号５１が第１のトランスコーダ部４２1に入力された場合には、復号化回路６２1がこれをμ−ｌａｗ信号６５1に変換し、第１の選択信号６６1として図８に示す加算器４３の第１の入力端子Ｉ1に送出する。また、下り信号５２は第２のトランスコーダ部４２2に入力されて、復号化回路６２2でμ−ｌａｗ信号６５2に変換され、第２の選択信号６６2として加算器４３の第２の入力端子Ｉ2に送出されることになる。そこで、この場合にも加算器４３は上り、下り両方のμ−ｌａｗ信号を加算して加算後のμ−ｌａｗ信号４５を図７に示したシステム試験コンソール２６に送出することになる。システム試験コンソール２６はこれをモニタアダプタ２７に送って、Ｄ／Ａ変換させて、上りおよび下りの音声信号が加算されたアナログ信号を作成させ、通話音を出力させる。
【００１６】
なお、第１のトランスコーダ部４２1は図９に示すような構成となっているので、これにμ−ｌａｗ信号からなる上り信号３２が入力された場合には、セレクタ６３1がこれをそのまま第１の選択信号６６1として出力することになる。第２のトランスコーダ部４２2にμ−ｌａｗ信号からなる下り信号３１が入力された場合も同様である。
【００１７】
【発明が解決しようとする課題】
以上説明した従来の通話音声モニタ装置では、固定電話１１と第１の携帯電話１２1が移動交換機センタ１３を介して通話を行う場合、あるいは第２の携帯電話１２2と第３の携帯電話１２3とが移動交換機センタ１３を介して通話を行う場合、共に上り方向と下り方向の通話を音声でモニタすることができる。したがって、上りおよび下りの双方の回線について音声の伝送に障害が発生し、これらが共に無音となっているような場合には、この異常を簡単に検出することができる。ところが、一方の回線のみに障害が発生しているような場合には通話音自体は聞こえることになる。
【００１８】
周知のように通話内容は一様ではなく、双方が短い時間の間に会話を交互に交わしている場合もあるが、一人が一方的に話して他方が聞き側に回っているような場合もある。また、通話の一方側で友人同士あるいは親子の間等で話者が途中で交代するような場合も多い。したがって、モニタを行う者が通話内容にまで深く立ち入らない限り、通話音を聞いているだけでは１つの回線のみの音が聞こえているのか２つの回線の音が聞こえているかを判断することは困難である。このため、１つの回線から音が聞こえているような場合でも２つの回線から音が聞こえていると勘違いし、回線が正常であると判断する可能性がある。
【００１９】
特に通話音声モニタ装置が設置されている環境では、周辺の装置のファンが発する音などのため、通話音声モニタ装置から出力される音声を聞き取りにくいことが多い。このような劣悪な環境では、１つの回線から音が聞こえている状態でも２つの回線から音が聞こえているような錯覚に陥る場合もある。
【００２０】
このように、従来の通話音声モニタ装置では、片方の回線のみから音が聞こえるといった障害時であっても監視者が２つの回線から音が聞こえていると判断する場合があり、このようなときには障害に気付かずに放置することになって、障害の復旧を遅らせてしまうという問題があった。
【００２１】
そこで本発明の目的は、通話回線あるいは通話用のハイウェイの少なくとも一方に音声信号の伝達についての障害が発生したとき、これを確実に判別することのできる通話音声モニタ装置を提供することにある。
【００２４】
【課題を解決するための手段】
請求項１記載の発明では、（イ）発呼者と被呼者双方の通話音のいずれか一方が無音状態となったとき、所定時間以上その無音状態が継続したかを判別する無音状態継続判別手段と、（ロ）この無音状態継続判別手段が前記した所定時間以上その無音状態が継続したと判別したときその通話音が無音であることを検出する無音状態検出手段と、（ハ）発呼者と被呼者の通話音をモニタ音として出力するモニタ手段と、（ニ）無音状態検出手段が無音状態を検出したときモニタ手段の出力するモニタ音を遮断するモニタ音遮断手段とを通話音声モニタ装置に具備させる。
【００２５】
すなわち請求項１記載の発明では、発呼者と被呼者双方の通話音のいずれか一方が無音状態となったとき、所定時間以上その無音状態が継続したかを無音状態継続判別手段で判別し、この無音状態継続判別手段が前記した所定時間以上その無音状態が継続したと判別したときその通話音が無音であることを無音状態検出手段によって検出し、この場合には発呼者と被呼者の通話音の双方をモニタ音として出力するモニタ手段のモニタ音の出力自体を遮断することにして、無音状態とし、障害が発生したことを容易に判別できるようにしている。
【００２８】
請求項２記載の発明では、請求項１記載の通話音声モニタ装置で、モニタ音遮断手段によるモニタ音の遮断を解除するモニタ音遮断解除手段を具備することを特徴としている。
【００２９】
すなわち請求項２記載の発明では、無音状態となったことで、いずれかあるいは双方の通話音に障害が発生したことが分かるものの、どの回線あるいはハイウェイに異常があるかを特定することができない状況を改善するもので、発呼者と被呼者の通話音の双方をモニタできるようにモニタ音遮断解除手段を配置している。
【００３２】
請求項３記載の発明では、（イ）発呼者と被呼者双方の通話音のそれぞれについて無音状態となったとき、所定時間以上その無音状態が継続したかを判別する無音状態継続判別手段と、（ロ）この無音状態継続判別手段が前記した所定時間以上その無音状態が継続したと判別したときその通話音が無音であり、それ以外は無音でないと検出する無音状態有無検出手段と、（ハ）この無音状態有無検出手段の検出結果を双方の通話音について各別に表示する表示ランプとを通話音声モニタ装置に具備させる。
【００３３】
すなわち請求項３記載の発明では、発呼者と被呼者双方の通話音のそれぞれについて無音状態となったとき、所定時間以上その無音状態が継続したかを無音状態継続判別手段で判別するようにしている。そして、この無音状態継続判別手段が前記した所定時間以上その無音状態が継続したと判別したときその通話音が無音であり、それ以外は無音でないと検出することにしている。そして、この検出結果を双方の通話音について各別に表示する表示ランプで表示する。ここで表示ランプは異常とされる通話音の回線あるいはハイウェイを表示するようにしてもよいし、この反対に正常とされる通話音の回線あるいはハイウェイを表示するようにしてもよい。また、表示ランプはそれぞれの回線あるいはハイウェイに対応させて２系統用意してもよいし、１系統の表示ランプを切り替えて使用するようにしてもよい。
【００３４】
【発明の実施の形態】
【００３５】
【実施例】
以下実施例につき本発明を詳細に説明する。
【００３６】
図１は、本発明の実施例における通話音声モニタ装置を使用した音声通話システムを表わしたものである。図７と同一部分には同一の符号を付しており、これらの説明を適宜省略する。本実施例でも固定電話１１と第１の携帯電話１２1が移動交換機センタ１３を介して通話を行う場合と、第２の携帯電話１２2と第３の携帯電話１２3とが移動交換機センタ１３を介して通話を行う場合を取り上げて説明を行う。本実施例では音声通話システム１２３の移動交換機センタ１３に本実施例の通話音声モニタ装置１２５と、従来と同様のシステム試験コンソール２６が接続されている。システム試験コンソール２６には、モニタを行うためのモニタアダプタ２７が接続されており、通話音２８が出力されるようになっている。
【００３７】
図２は、本実施例の通話音声モニタ装置の回路構成を示したものである。本実施例の通話音声モニタ装置１２５で図８と同一部分には同一の符号を付している。本実施例の通話音声モニタ装置１２５ではμ−ｌａｗ信号からなる下り信号３１および上り信号３２と、ＶＳＥＬＰあるいはＰＳＩ−ＣＥＬＰ等の高能率符号化信号からなる上り信号５１と下り信号５２がＰＣＭハイウェイ・インタフェース部１４１に入力される。このうちの２つの上り信号３２、５１は第１のトランスコーダ部１４２1の入力端子Ｉ1に入力されると共に、第２のトランスコーダ部１４２2の入力端子Ｉ2に入力される。また、２つの下り信号３１、５２は第２のトランスコーダ部１４２2の入力端子Ｉ1に入力されると共に、第１のトランスコーダ部１４２1の入力端子Ｉ2に入力されるようになっている。第１のトランスコーダ部１４２1の出力端子Ｏから出力される第１の選択信号１６６1は、加算器４３の第１の入力端子Ｉ1に入力され、第２のトランスコーダ部１４２2の出力端子Ｏから出力される第２の選択信号１６６2は加算器４３の第２の入力端子Ｉ2に入力されるようになっている。加算器４３からは加算後のμ−ｌａｗ信号１４５が図１に示したシステム試験コンソール２６に送出されることになる。
【００３８】
図３は、第１のトランスコーダ部の回路構成を具体的に表わしたものである。この図３で図９と同一部分には同一の符号を付している。第２のトランスコーダ部１４２2も第１のトランスコーダ部１４２1と同一の構成となっている。したがって、第２のトランスコーダ部１４２2については、第１のトランスコーダ部１４２1内の各部を表わす数字の添え字の“１”を“２”に適宜読み替えることにする。また、第２のトランスコーダ部１４２2の入力端子Ｉ1には２つの上り信号３２、５１の代わりに２つの下り信号３１、５２が入力され、入力端子Ｉ2には２つの上り信号３２、５１が入力されることになる。
【００３９】
第１のトランスコーダ部１４２1は、２つの入力端子Ｉ1、Ｉ2と、１つの出力端子Ｏを備えている。入力端子Ｉ1に入力される２つの上り信号３２、５１は、上り信号５１を共に入力する同期パターン検出回路６１1、復号化回路６２1および第１のスイッチ回路１７１1の入力端子Ｉに供給されるようになっている。また、復号化回路６２1の出力は第２のスイッチ回路１７２1の入力端子Ｉに供給されるようになっている。第１のスイッチ回路１７１1の出力端子Ｏから出力される上り信号１７３1は、セレクタ６３1の入力端子Ｘに入力され、第２のスイッチ回路１７２1の出力端子Ｏから出力される上り信号１７４1は、セレクタ６３1の入力端子Ｙに入力されるようになっている。
【００４０】
ここで同期パターン検出回路６１1は、上り信号５１による同期パターンを検出するとその検出出力端子ＣＯから、復号化回路６２1およびセレクタ６３1に送出する。復号化回路６２1はこの状態で上り信号５１としての高能率符号化信号をμ−ｌａｗ信号６５1に変換する。
【００４１】
セレクタ６３1は２入力のうちから１つを選択する回路であり、上り信号１７３1を一方の入力端子Ｘに供給すると共に、μ−ｌａｗ信号としての上り信号１７４1を他方の入力端子Ｙに供給するようになっている。そして、同期パターン検出信号６４1がセレクタ６３1の選択端子Ｓに供給されていない状態では入力端子Ｘに入力される上り信号１７３1を出力端子Ｏからそのまま第１の選択信号１６６1として出力する。また、同期パターン検出信号６４1がセレクタ６３1の選択端子Ｓに供給されている状態では、μ−ｌａｗ信号としての上り信号１７４1を第１の選択信号１６６1として出力することになる。
【００４２】
一方、第１のトランスコーダ部１４２1の他方の入力端子Ｉ2に入力される２つの下り信号３１、５２は、μ−ｌａｗ信号についての無音状態を検出する無音検出部１８１1と、もう１つの同期パターン検出回路１８２1とに供給されるようになっている。無音検出部１８１1はμ−ｌａｗ信号以外の信号が入力したときにも同様に無音状態として検出するようになっている。無音検出部１８１1は下り信号３１の無音状態を検出すると、その間だけロー（Ｌ）レベルの無音信号１８３1をタイムカウンタ１８４1のリセット端子Ｒに入力するようになっている。タイムカウンタ１８４1は、クロック信号１８５1の供給を受けており、無音信号１８３1が出力されていないハイ（Ｈ）レベル状態でカウントをリセットされており、無音信号１８３1が出力されるとこれをカウントアップするようになっている。そして、その値が所定時間（たとえば１分）に到達すると、その出力端子Ｔからタイムアップ信号１８６1を出力するようになっている。
【００４３】
このタイムアップ信号１８６1は、第１のスイッチ回路１７１1のコントロール端子Ｃに入力される。第１のスイッチ回路１７１1はタイムアップ信号１８６1が入力されている間だけその入力端子Ｉと出力端子Ｏの接続を絶つ。すなわち、下り信号３１の音声が所定時間無音状態となると、その間だけ上り信号３２がセレクタ６３1の入力端子Ｘに供給されなくなるようになっている。
【００４４】
また、高能率符号化信号としての下り信号５２を入力する同期パターン検出回路１８２1の方では、同期パターンを検出しない場合には、その検出出力端子ＣＯＢから同期パターン非検出信号１８７1を出力し、これを第２のスイッチ回路１７２1のコントロール端子Ｃに入力するようになっている。第２のスイッチ回路１７２2は、同期パターン非検出信号１８７1が入力されている状態で、その入力端子Ｉと出力端子Ｏの接続を絶つ。すなわち、すなわち高能率符号化信号が入力されていない状態で、上り信号１７４1がセレクタ６３1の入力端子Ｙに供給されなくなるようになっている。
【００４５】
以上のような構成の通話音声モニタ装置１２５を備えた音声通話システム１２３の動作を説明する。まず、図１において固定電話１１が発呼して第１の携帯電話１２1との間で通話が行われる場合のモニタ動作について説明する。固定電話１１と第１の携帯電話１２1が通話を行う場合には、これらの間で図で実線で示す通話パス１５が形成される。このとき、音声信号は移動交換機センタ１３内でμ−ｌａｗ信号で伝達され、固定電話１１から第１の携帯電話１２1の方向に向かう下り信号３１と、第１の携帯電話１２1から固定電話１１の方向に向かう上り信号３２とが、共に通話音声モニタ装置１２５に入力されることになる。
【００４６】
図２で、これらの下り信号３１および上り信号３２はＰＣＭハイウェイ・インタフェース部１４１に入力され、ここから第１および第２のトランスコーダ部１４２1、１４２2に供給される。
【００４７】
図３はこのうちの第１のトランスコーダ部１４２1を示している。第１のトランスコーダ部１４２1に入力された上り信号３２はμ−ｌａｗ信号なので、同期パターン検出回路６１1は同期パターンの検出を行わない。このためセレクタ６３1は入力端子Ｘ側を選択する状態となっている。また、第１のトランスコーダ部１４２1に入力されたμ−ｌａｗ信号としての下り信号３１は無音検出部１８１1と同期パターン検出回路１８２1に供給される。同期パターン検出回路１８２1は同様に同期パターンの検出を行わない。
【００４８】
ここで仮に下り信号３１および上り信号３２が共に音声信号を伝達している状態であるとする。この場合には、無音検出部１８１1は無音を検出せず、タイムアップ信号１８６1は出力されない。したがって、第１のスイッチ回路１７１1は導通しており、上り信号３２がセレクタ６３1の入力端子Ｘに供給される状態となっている。したがって、セレクタ６３1からは上り信号３２が第１の選択信号１６６1として出力される。
【００４９】
同様の原理で、図示しない第２のトランスコーダ部１４２2では、そのセレクタ６３2から下り信号３１が第２の選択信号１６６2として出力されることになる。これら第１の選択信号１６６1および第２の選択信号１６６2は図２に示す加算器４３に入力されて、上り下り両方の音声信号が加算される。加算後のμ−ｌａｗ信号１４５は図１に示すシステム試験コンソール２６に供給され、ここからモニタアダプタ２７に送られる。モニタアダプタ２７ではμ−ｌａｗ信号１４５をＤ／Ａ変換し、この結果、上り下り両方の音声信号が通話音２８として出力されることになる。
【００５０】
次に、第１の携帯電話１２1から送り出された上り信号３２が何らかの障害で無音状態になっており、固定電話１１から通話パス１５に送り出された下り信号３１のみが正常に聞こえる状態である場合を説明する。図３に示す第１のトランスコーダ部１４２1では、上り信号３２が無音状態となっており、セレクタ６３1の入力端子Ｘを選択している。したがって、第１のトランスコーダ部１４２1の出力端子Ｏから出力される第１の選択信号１６６1は無音となる。
【００５１】
このとき第２のトランスコーダ部１４２2では、その第１のスイッチ回路１７１2の入力端子Ｉに有音の下り信号３１が入力されている。しかしながら、無音の上り信号３２が無音検出部１８１2に入力されるので、この状態が所定時間継続するとタイムカウンタ１８４2がタイムアップしてその出力端子Ｔからタイムアップ信号１８６2が出力される。すると、このタイムアップ信号１８６2は、第１のスイッチ回路１７１2のコントロール端子Ｃに入力されて、その入力端子Ｉと出力端子Ｏの接続を絶つことになる。したがって、有音の下り信号３１はセレクタ６３2の入力端子Ｘに入力することができない。この結果として、上り信号３２の無音状態が前記した所定時間以上経過すると、第２のトランスコーダ部１４２2の出力端子Ｏから出力される第２の選択信号１６６2も無音となる。
【００５２】
これら第１の選択信号１６６1および第２の選択信号１６６2は図２に示す加算器４３に入力されて、上り下り両方の音声信号が加算されるが、共に無音状態なので加算後も無音状態の信号となる。このため、モニタアダプタ２７から出力される通話音２８は同様に無音状態となる。すなわち、上り信号３２が何らかの障害で無音状態になると、下り信号３１が有音状態であってもモニタアダプタ２７の図示しないスピーカから音声が出力されない。したがって、モニタ音を聴取する検査者は回線に音声の伝達に関して異常があることを確実に検出することができる。
【００５３】
これとは反対に、固定電話１１から送り出された下り信号３１が何らかの障害で無音状態になっており、第１の携帯電話１２1から通話パス１５に送り出された上り信号３２のみが正常に聞こえる状態である場合を説明する。この場合には、前の一方が無音の状態で第１のトランスコーダ部１４２1で行われた動作が第２のトランスコーダ部１４２2で行われ、第２のトランスコーダ部１４２2で行われた動作が第１のトランスコーダ部１４２1で行われることになる。したがって、この場合にも下り信号３１が何らかの障害で無音状態になると、上り信号３２が有音状態であってもモニタアダプタ２７の図示しないスピーカから音声が出力されない。したがって、モニタ音を聴取する検査者は回線に音声の伝達に関して異常があることを確実に検出することができる。
【００５４】
なお、第１の携帯電話１２1の上り信号３２と固定電話１１の下り信号３１が共に無音状態であった場合には、モニタ音が聞こえないのは当然であるので、これについての説明は省略する。
【００５５】
次に、第２の携帯電話１２2と第３の携帯電話１２3とが移動交換機センタ１３を介して通話を行う場合を説明する。第２の携帯電話１２2が発呼側であるとする。移動交換機センタ１３から通話音声モニタ装置１２５には、高能率符号化信号からなる上り信号５１と下り信号５２が供給される。これらの信号５１、５２は図２に示すＰＣＭハイウェイ・インタフェース部１４１に入力され、ここから第１および第２のトランスコーダ部１４２1、１４２2に供給される。
【００５６】
まず、上り信号５１と下り信号５２が共に音声信号を伝達している状態である場合を説明する。第１のトランスコーダ部１４２1では、上り信号５１を入力した同期パターン検出回路６１1が音声信号の先頭に配置されている同期パターンを検出するので、復号化回路６２1が作動し、またセレクタ６３1はその入力端子Ｙを選択する状態になる。復号化回路６２1はこの状態で上り信号５１としての高能率符号化信号をμ−ｌａｗ信号６５1に変換して、これを第２のスイッチ回路１７２1の入力端子Ｉに供給する。
【００５７】
一方、下り信号５２の方も同期パターンが配置されている。したがってもう１つの同期パターン検出回路１８２1はこの同期パターンを検出する。この結果、その検出出力端子ＣＯＢから同期パターン非検出信号１８７1が出力されることはない。すなわち、第２のスイッチ回路１７２1は導通状態を保っており、有音状態のμ−ｌａｗ信号６５1はセレクタ６３1を経て第１のトランスコーダ部１４２1の出力端子Ｏから第１の選択信号１６６1として出力されることになる。
【００５８】
同様の原理で、図示しない第２のトランスコーダ部１４２2では、そのセレクタ６３2から有音状態の下り信号５２が第２の選択信号１６６2として出力される。これら第１の選択信号１６６1および第２の選択信号１６６2は図２に示す加算器４３に入力されて、上り下り両方の音声信号が加算される。加算後のμ−ｌａｗ信号１４５は図１に示すシステム試験コンソール２６に供給され、ここからモニタアダプタ２７に送られる。モニタアダプタ２７ではμ−ｌａｗ信号１４５をＤ／Ａ変換し、この結果、上り下り両方の音声信号が通話音２８として出力されることになる。
【００５９】
次に、第２の携帯電話１２2から通話パス２１に送り出された上り信号５１が何らかの障害で無音状態になっており、第３の携帯電話１２3から送り出された下り信号５２のみが正常に聞こえる状態である場合を説明する。図２に示した第１のトランスコーダ部１４２1では、上り信号５１が無音（無信号状態）なので同期パターン検出回路６１1が同期パターンを検出することができない。したがって、上り信号３２が入力されている場合と同様になり、セレクタ６３1はその入力端子Ｘ側を選択する。
【００６０】
一方、下り信号５２はμ−ｌａｗ信号１４５ではないので、無音検出部１８１1は同様にこれを無音として検出する。この結果、タイムカウンタ１８４1は所定時間以上これが経過した時点でタイムアップ信号１８６1を出力する。このタイムアップ信号１８６1は第１のスイッチ回路１７１1のコントロール端子Ｃに入力されてその入力端子Ｉと出力端子Ｏの接続を絶つ。この結果、上り信号５１が無音で無信号の状態であっても、あるいは音声信号自体は無音であっても何らかのノイズが伝達されている状態であっても、第１のトランスコーダ部１４２1の出力端子Ｏから出力される第１の選択信号１６６1は無音（無信号）状態となる。
【００６１】
この状態のときの第２のトランスコーダ部１４２2の動作を説明する。第２のトランスコーダ部１４２2では下り信号５２が有音である。したがって、同期パターン検出回路６１2は同期パターンの検出を行い、セレクタ６３2は入力端子Ｙ側を選択する状態となる。しかしながら、上り信号５１が無音状態なので、同期パターン検出回路１８２2は同期パターンを検出することができない。したがって、同期パターン検出回路１８２2から同期パターン非検出信号１８７2が出力され、第２のスイッチ回路１７２2は非導通状態となる。このため、第２のトランスコーダ部１４２2の出力端子Ｏから出力される第２の選択信号１６６2は無音状態となる。
【００６２】
この結果、図２に示す加算器４３の加算結果としてのμ−ｌａｗ信号１４５は無音状態となり、モニタアダプタ２７からは通話音２８が出力されないことになる。したがって、モニタ音を聴取する検査者は回線に音声の伝達に関して異常があることを確実に検出することができる。
【００６３】
これとは反対に、第３の携帯電話１２3から通話パス２１に送り出された下り信号５２が何らかの障害で無音状態になっており、第２の携帯電話１２2から送り出された上り信号５１のみが正常に聞こえる状態である場合を説明する。この場合には、前の一方が無音の状態で第１のトランスコーダ部１４２1で行われた動作が第２のトランスコーダ部１４２2で行われ、第２のトランスコーダ部１４２2で行われた動作が第１のトランスコーダ部１４２1で行われることになる。したがって、この場合にも下り信号５２が何らかの障害で無音状態になると、上り信号５１が有音状態であってもモニタアダプタ２７の図示しないスピーカから音声が出力されない。したがって、モニタ音を聴取する検査者は回線に音声の伝達に関して異常があることを確実に検出することができる。
【００６４】
なお、第２の携帯電話１２2の上り信号５１と第３の携帯電話１２3の下り信号５２が共に無音状態であった場合には、モニタ音が聞こえないのは当然であるので、これについての説明は省略する。
【００６５】
以上説明したように本実施例では、携帯電話機が固定電話と通話する場合も携帯電話機同士が通話する場合も、いずれの場合でも片方の回線が無音状態となったとき、両方の回線が無音状態となったと同様にモニタ音が確実に聞こえない状態となる。したがって、両方の回線が有音であると勘違いして、通話が正常に行われると判断するミスの発生を防止することができる。
【００６６】
発明の変形例
【００６７】
以上説明した実施例では音声信号の有無を音に変換して出力することにしたが、上りおよび下りのハイウェイについて音声信号の有無を光に変換して出力することも可能である。この場合には、騒音の高い場所でもＬＥＤ（発光ダイオード）等の光の点灯の有無によって通話音あるいは通話信号の有無を簡単に判別することができる。
【００６８】
図４は、この変形例の通話音声モニタ装置を使用した音声通話システムを表わしたものである。図１と同一部分には同一の符号を付しており、これらの説明を適宜省略する。この変形例では通話音声モニタ装置１２５Ａからμ−ｌａｗ信号１４５の他に１対の無音検出信号２０１1、２０１2が移動交換機センタ１３を経由してシステム試験コンソール２６Ａに供給され、ここからモニタアダプタ２７Ａに送られるようになっている。モニタアダプタ２７Ａには上り用および下り用の異常時点灯ランプ２０３、２０４が備えられている。このうち上り用異常時点灯ランプ２０３は、上りの回線に通話音あるいは通話信号が存在しないときに点灯するようになっている。また、下り用の異常時点灯ランプ２０４は、下りの回線に通話音あるいは通話信号が存在しないときに点灯するようになっている。もちろん、モニタアダプタ２７Ａは通話音２８の聴取も可能な構成となっている。
【００６９】
図５は、この変形例の通話音声モニタ装置の回路構成を示したものである。図２と同一部分には同一の符号を付しており、これらの説明を適宜省略する。通話音声モニタ装置１２５Ａの第１のトランスコーダ部１４２1Ａは、加算器４３に第１の選択信号１６６1を出力する出力端子Ｏ1と、下りの無音検出信号２０１1を出力する出力端子Ｏ2の２つの出力端子を備えている。同様に、第２のトランスコーダ部１４２2Ａは、加算器４３に第２の選択信号１６６2を出力する出力端子Ｏ1と、上りの無音検出信号２０１2を出力する出力端子Ｏ2の２つの出力端子を備えている。
【００７０】
図６は、この変形例の第１のトランスコーダ部の回路構成を具体的に表わしたものである。この図６で図３と同一部分には同一の符号を付している。第２のトランスコーダ部１４２2Ａも第１のトランスコーダ部１４２1Ａと同一の構成となっている。したがって、第２のトランスコーダ部１４２2Ａについては、第１のトランスコーダ部１４２1Ａ内の各部を表わす数字の添え字の“１”を“２”に適宜読み替えることにする。また、第２のトランスコーダ部１４２2Ａの入力端子Ｉ1には２つの上り信号３２、５１の代わりに２つの下り信号３１、５２が入力され、入力端子Ｉ2には２つの下り信号３１、５２の代わりに２つの上り信号３２、５１が入力される点も先の実施例と同様である。
【００７１】
第１のトランスコーダ部１４２1Ａは、タイムカウンタ１８４1の出力端子Ｔから出力されるタイムアップ信号１８６1と同期パターン検出回路１８２1の検出出力端子ＣＯＢから出力される同期パターン非検出信号１８７1を入力するオアゲート２１１1を新たに備えている。オアゲート２１１1からは下りの回線の無音時にハイレベルとなる下りの無音検出信号２０１1が出力されることになる。
【００７２】
同様の原理で、図示しない第２のトランスコーダ部１４２2Ａのオアゲート２１１2からは上りの回線の無音時にハイレベルとなる上りの無音検出信号２０１2が出力される。したがって、図４に示したモニタアダプタ２７Ａでは、上りの回線に通話音あるいは通話信号が存在しないときに上り用の異常時点灯ランプ２０３が点灯し、下りの回線に通話音あるいは通話信号が存在しないときに下り用の異常時点灯ランプ２０４が点灯することになる。音声のモニタと異なり、この変形例の異常時点灯ランプ２０３、２０４は一方の通話音あるいは通話信号が存在しないときにはその一方が点灯し、両方共に異常の場合には双方の異常時点灯ランプ２０３、２０４が点灯することになる。もちろん、これらとは逆に正常時にランプが点灯するようにしてもよい。
【００７３】
更に実施例では無音検出部１８１1の検出動作をタイムカウンタ１８４1によるクロック信号１８５1のカウント値で行っているが、他の計時手段で計時することによっても同様の回路動作を実現することができる。また、カウント値あるいは計時時間は適宜調整できるようにしてもよい。
【００７４】
また、実施例では通話を行っている者の一方側が無音状態となったときに双方の通話音を遮断して異常状態を容易に判別できるようにしたが、この実施例ではどちらの回線あるいはハイウェイで通話音の障害が発生しているかを特定することができない。そこで、このように異常を特定した場合には、双方の通話音を聞ける状態に戻して、どちらの音が聞こえないかを判別できるようにすることも有効である。このような措置は、一方の音が無音となったときに双方の通話音を遮断する回路の動作の解除を行うことで簡易に実現することができる。
【００７６】
【発明の効果】
以上説明したように請求項１記載の発明によれば、発呼者と被呼者双方の通話音のいずれか一方が無音状態となったことを無音状態検出手段によって検出し、この場合には発呼者と被呼者の通話音の双方の出力を遮断するので、無音状態であるか否かで障害の発生の有無を容易にかつ短時間で判別することができる。
【００７７】
また請求項２記載の発明によれば、回線あるいはハイウェイに異常があることを判別した後、これがどちらの側であるか、あるいは双方共異常であるかを具体的に特定することができる。
【００７９】
更に請求項３記載の発明によれば、発呼者と被呼者双方の通話音のそれぞれについて無音状態であるか否かを無音状態有無検出手段によって検出し、これらの結果を各別に表示ランプで表示することにしたので、騒音のひどい場所や通話レベルが低いような状況でも双方の通話音の異常の有無を簡単かつ迅速に判別することができる。
【図面の簡単な説明】
【図１】本発明の実施例における通話音声モニタ装置を使用した音声通話システムを表わしたシステム構成図である。
【図２】本実施例の通話音声モニタ装置の回路構成を示したブロック図である。
【図３】第１のトランスコーダ部の回路構成を具体的に表わしたブロック図である。
【図４】本発明の変形例における通話音声モニタ装置を使用した音声通話システムを表わしたシステム構成図である。
【図５】この変形例における通話音声モニタ装置の回路構成を示したブロック図である。
【図６】この変形例における第１のトランスコーダ部の回路構成を具体的に表わしたブロック図である。
【図７】従来提案された通話音声モニタ装置を使用した音声通話システムを表わしたシステム構成図である。
【図８】図７に示した通話音声モニタ装置の構成を具体的に表わしたブロック図である。
【図９】図７に示した通話音声モニタ装置の第１のトランスコーダ部の回路構成を具体的に表わしたブロック図である。
【符号の説明】
１１  固定電話
１２  携帯電話
１３  移動交換機センタ
２６、２６Ａ  システム試験コンソール
２７、２７Ａ  モニタアダプタ
２８  通話音
４３  加算器
６１、１８２  同期パターン検出回路
６２  復号化回路
６３  セレクタ
１２３  音声通話システム
１２５、１２５Ａ  通話音声モニタ装置
１４１  ＰＣＭハイウェイ・インタフェース部
１４２1、１４２1Ａ  第１のトランスコーダ部
１４２2、１４２2Ａ  第２のトランスコーダ部
１７１  第１のスイッチ回路
１７２  第２のスイッチ回路
１８１  無音検出部
１８４  タイムカウンタ
２０３  上り用の異常時点灯ランプ
２０４  下り用の異常時点灯ランプ
【図１】
0004010153.tif 000002
【図２】
0004010153.tif 000003
【図３】
0004010153.tif 000004
【図４】
0004010153.tif 000005
【図５】
0004010153.tif 000006
【図６】
0004010153.tif 000007
【図７】
0004010153.tif 000008
【図８】
0004010153.tif 000009
【図９】
0004010153.tif 000010